(57)【要約】  【課題】ボルトで内扉に固定することなくロックレバーの軸受部を内扉に形成することができる自動販売機を提供する。  【解決手段】自動販売機の本体ケース２の前面に開閉自在に備えた内扉４と、内扉４を閉位置にロックする内扉ロック装置５を有する自動販売機で、内扉ロック装置５は内扉４のヒンジと反対側の端部にロックレバー８とロックレバー８を支持する軸受部１４によって構成され、軸受部１４は内扉４の表面部材４ａの一部を切り起こして成形するものである。【選択図】図１
2009282590.tif 000002
【特許請求の範囲】
【請求項１】
自動販売機の本体ケースの前面に開閉自在に備えた内扉と、前記内扉を閉位置にロックする内扉ロック装置を有する自動販売機において、前記内扉ロック装置は前記内扉のヒンジと反対側の端部にロックレバーと前記ロックレバーを支持する軸受部によって構成され、前記軸受部は前記内扉の表面部材の一部を切り起こして成形することを特徴とする自動販売機。
【請求項２】
軸受部は左右に対峙して備えられ、前記軸受部は表面部材の一部に切り起して成形された矩形状の切り起し孔の両側部に構成されることを特徴とする請求項１に記載の自動販売機。
【請求項３】
軸受部と表面部材を繋ぐ基部に複数の孔部を設け、前記孔部に沿って前記基部を折り曲げて前記軸受部を成形したことを特徴とする請求項１または２に記載の自動販売機。
【発明の詳細な説明】
【技術分野】
【０００１】
本発明は、缶飲料やペットボトル飲料等の商品を販売する自動販売機に関する。
【背景技術】
【０００２】
ホットないしコールド商品を販売する自動販売機では、図４で示すように商品収納ラック１を搭載した本体ケース２の前面に販売操作部，商品取出口を備えた外扉３とは別に庫内前面を密閉状態に閉塞する断熱内扉４を装備して断熱性を高め、かつ、この内扉４に手動で操作する扉ロック装置５を備えている。
【０００３】
図５は特許文献１で提案されている従来の自動販売機の構成図である。
【０００４】
なお、図５は内扉４を閉位置に鎖錠した状態を表している。ここで、ロック装置５は、内扉４のヒンジと反対側の端部に、内扉４の表面を形成する表面材４ａにボルト６で固定したレバー取付金具７と、該取付金具７に形成した軸受部７ａに左右へスライド可能に嵌挿支持した手動操作式のクランク形ロックレバー８と、ロックレバー８の軸部先端に対向して本体ケース２の前縁側部に取付けた角穴付きのロック板９とからなる。
【０００５】
ここで、取付金具７に対し、その軸受部７ａの左側に形成した断面Ｕ字形の膨出部の板面には形状が略Ｊ字形になるレバーガイド溝７ｃが開口しており、該ガイド溝の上端は膨出部の側面まで伸びている。そして、取付金具７の軸受部７ａに嵌挿軸支したロックレバー８の先端がクランク状に屈曲した軸部８ａ、および該軸部の他端から略Ｌ字形に延長した把手部８ｂが、前記のガイド溝７ｃを通して前方に突き出している。
【０００６】
なお、１０は内扉４の内面側周縁に取付けたガスケットである。
【０００７】
かかる構成により、図示の鎖錠状態ではロックレバー８の軸部先端がロック板９の角穴９ａに側方から入り込んで角穴の前縁に当接し、かつロックレバーの把手部８ｂのアーム部分がレバー取付金具７に形成したガイド溝７ｃに嵌まり込んでこの鎖錠位置に拘束保持されている。この位置でガスケット１０を本体ケース２の内箱前縁に押しつけて庫内を密閉している。
【０００８】
一方、ロック装置５の鎖錠を釈放して内扉４を開放する際には、ロックレバー８の把手部８ｂに手を掛けて下方に引き下ろすように回転操作する。これにより、図で示すようにロックレバー８が取付金具７に開口したＪ字形のガイド溝７ｃに沿って強制的に案内規制され、その終端行程でロックレバー８が左方にスライド移動して本体ケース２の前縁側部に取付けた角穴付きのロック板９から抜け出す。したがって、そのままレバーの把手部８ｂを手前に引けば、内扉４を開放することができる。
【特許文献１】特開平１０−７９０８０号公報
【発明の開示】
【発明が解決しようとする課題】
【０００９】
ところで、上記した従来の自動販売機では内扉４の断熱性能を向上させるために真空断熱材を使用する場合、表面材４ａにボルト６で取付金具７を固定するために、ボルト６によって真空断熱材を損傷してしまうために断熱性能を向上できない。そのために省エネ効果を強く要求される自動販売機において内扉に真空断熱材が使えないという問題がある。また、組立時や分解時にはボルトを外す工数を要し、作業時間と作業コストを生じていた。
【００１０】
本発明は上記の点に鑑みなされたものであり、その目的は、ボルトで内扉に固定することなくロックレバーの軸受部を内扉に形成することができる自動販売機を提供することにある。
【課題を解決するための手段】
【００１１】
上記従来の課題を解決するために、自動販売機の本体ケースの前面に開閉自在に備えた内扉と、前記内扉を閉位置にロックする内扉ロック装置を有する自動販売機において、前記内扉ロック装置は前記内扉のヒンジと反対側の端部にロックレバーと前記ロックレバーを支持する軸受部によって構成され、前記軸受部は前記内扉の表面部材の一部を切り起こして成形するものである。
【００１２】
これによって、ボルトで内扉に固定することなくロックレバーの軸受部を内扉に形成することができる。
【発明の効果】
【００１３】
本発明の自動販売機は、内扉の表面部材を打ち抜いて軸受部を構成した後に、切り起こして軸受部を成形して構成したことにより、ボルトで内扉に固定することなくロックレバーの軸受部を内扉に形成することができる。
【発明を実施するための最良の形態】
【００１４】
請求項１に記載の発明は、自動販売機の本体ケースの前面に開閉自在に備えた内扉と、前記内扉を閉位置にロックする内扉ロック装置を有する自動販売機において、前記内扉ロック装置は前記内扉のヒンジと反対側の端部にロックレバーと前記ロックレバーを支持する軸受部によって構成され、前記軸受部は前記内扉の表面部材の一部を切り起こして成形することにより、ビス等の固定部材を使用することなくロックレバーの軸受部を内扉に形成できる。
【００１５】
請求項２に記載の発明は、請求項１に記載の発明にさらに、軸受部は左右に対峙して備えられ、前記軸受部は表面部材の一部に切り起して成形された矩形状の切り起し孔の両側部に構成されるものであり、切起し孔の端面に軸受部が構成され、ロックレバー操作部内には切り起し孔が構成されていないので、操作時の接触による怪我を防止でき、また錆を抑制することができる。
【００１６】
請求項３に記載の発明は、請求項１または２に記載の発明にさらに、軸受部と表面部材を繋ぐ基部に複数の孔部を設け、前記孔部に沿って前記基部を折り曲げて前記軸受部を成形したものであり、曲げ加工精度を高め、手加工でも行うことができる。
【００１７】
以下、本発明の実施の形態を図面に基づいて説明する。なお、各実施の形態の図中で図５に対応する同一部材には同じ符号を付して、その詳細な説明は省略する。
【００１８】
（実施の形態１）
図１は、本発明の自動販売機の要部斜視図、図２は、本発明の自動販売機の加工完了状態を示す要部斜視図、図３は、本発明の自動販売機の打ち抜き加工完了状態を示す要部斜視図、図４は、本発明の自動販売機の扉開放状態を表す斜視構成図である。
【００１９】
庫内前面を密閉状態に閉塞する断熱内扉４は、板厚０．３〜０．７ｍｍ程度の鋼板にて製作された表面部材４ａで断熱材を覆っている。この表面部材４ａは鋼板を必要形状に打ち抜いた後で曲げ加工等を加えることにより所定の形状に加工される。
【００２０】
ここで、表面部材４ａが必要形状に打ち抜かれた段階では、図３の如くロックレバー８を嵌挿する軸穴１０が輪郭部１１に設けられており、この輪郭部１１は先端が略円弧形状で突出した形状で複数形成されている。これら複数の輪郭部１１は、その略円弧形状の先端をお互いの方向を向いた形状で打ち抜かれていて、この輪郭部１１とお互いの輪郭部１１の付け根部分相互間を結ぶ打ち抜き端面１２とを打ち抜き範囲として打ち抜かれている。
【００２１】
また、輪郭部１１の付け根部分には複数の孔部１３が複数直線上に並設されている。
【００２２】
図２のように必要形状に打ち抜かれた表面部材４ａの孔部１３に沿って曲げることで輪郭部１１を切り起こすと、軸受部１４が内扉４の表面に形成される。その後、軸穴１０にロックレバー８を左右へスライド可能に嵌挿支持すれば、ボルトで内扉４に固定することなくロックレバー８の軸受部１４を内扉４に形成することができる。
【００２３】
軸受部１４は、表面部材４ａの一部を矩形状に切り起こして形成された矩形状の切り起し孔１２ａの両側部に構成されているので、切り起し孔１２ａの端面が軸受部１４間の外側にはみ出して構成されないので、ロックレバー８の操作時に切り起し孔１２ａの端面に触れることはないので安全性を高め、また端面の防錆を高めることができる。
【００２４】
また、軸受部１４の輪郭部１１は対峙して打ち抜かれて形成されていて、この輪郭部１１とお互いの輪郭部１１の付け根部分である基部１１ａが相互の間を結ぶ打ち抜き端面１２とを打ち抜き範囲として打ち抜き加工されるので、打ち抜き範囲は複数個所に輪郭部１１を切り起こして形成された複数の軸受部１４間のみに止まるので、打ち抜き端面１２の露出を複数の軸受部１４間に抑えるので、ロックレバー８が打ち抜き端面１２に引っかかる事がないので操作を妨げない。
【００２５】
さらに、輪郭部１１に孔部１３を設け、この孔部１３に沿って曲げることにより切り起して軸受部１４を成形するので、孔部１３を通る直線状で輪郭部１１を曲げるので曲げ位置が安定するので加工精度が向上し、かつ曲げ加工に必要な力を低減するので手加工も可能となり、工具の使用が不要となるので加工が容易になる。
【産業上の利用可能性】
【００２６】
以上のように、本発明にかかる自動販売機は、ボルトで内扉に固定することなくロックレバーの軸受部を内扉に形成することができるので、あらゆる自動販売機のロックレバーの軸受部に適用できる。
【図面の簡単な説明】
【００２７】
【図１】本発明の自動販売機の要部斜視図
【図２】本発明の自動販売機の加工完了状態を示す要部斜視図
【図３】本発明の自動販売機の打ち抜き加工完了状態を示す要部斜視図
【図４】本発明の実施対象となる自動販売機の扉開放状態を表す斜視構成図
【図５】（ａ）従来における自動販売機の上面図（ｂ）従来における自動販売機の側面図（ｃ）従来における自動販売機の正面図
【符号の説明】
【００２８】
２    本体ケース
４    内扉
４ａ  表面部材
５    ロック装置
８    ロックレバー
８ａ  軸部
８ｂ  把手部
１０  軸穴
１１  輪郭部
１２  打ち抜き端面
１３  打ち抜き穴
１４  軸受部
【図１】
2009282590.tif 000003
【図２】
2009282590.tif 000004
【図３】
2009282590.tif 000005
【図４】
2009282590.tif 000006
【図５】
2009282590.tif 000007